(57)【要約】      （修正有）【課題】穴掘りの習性を有する小動物を、その生息環境に近い環境で飼育可能とする小動物飼育器を提供する。【解決手段】小動物飼育器は底に砂を敷き詰めて小動物を飼育する。小動物飼育器内に仕切り板５５を取り付けると、その下に比較的狭い空間ｓ１を形成することができる。こうすることで、小動物の習性に従い、小動物に穴掘りをさせることができる。また、仕切り板５５を取り外すと、比較的広い空間ｓ２を形成することができる。こうすることで、小動物の習性に従い、小動物に砂遊びをさせることができる。このように、一つの小動物飼育器で、小動物に習性に従って、穴掘り、砂浴びをさせることができ、生息環境に近い環境でストレスを与えずに飼育することが可能となる。【選択図】図４
0003228113.tif 000002
【実用新案登録請求の範囲】
【請求項１】
穴掘りの習性を有する小動物用の小動物飼育器であって、
前記小動物を飼育するための本体容器と、
前記本体容器内において、該本体容器の底面から上端までの半分よりも低い位置に取り付けられ、該本体容器の底面積の半分以上を覆う仕切り板とを備える小動物飼育器。
【請求項２】
請求項１記載の小動物飼育器であって、
前記小動物は四足動物であり
前記仕切り板は、四足が着地した状態の頭頂部までの背丈の３倍以下の高さに取り付けられている小動物飼育器。
【請求項３】
請求項１または２記載の小動物飼育器であって、
前記仕切り板の高さを調整可能である小動物飼育器。
【請求項４】
請求項１〜３いずれか記載の小動物飼育器であって、
前記仕切り板は脱着可能である小動物飼育器。
【請求項５】
請求項１〜４いずれか記載の小動物飼育器であって、
前記仕切り板は、対向する２辺で前記本体容器に支持されており、
該仕切り板のいずれかの部分に前記小動物が通過するための孔が形成されている小動物飼育器。
【請求項６】
請求項１〜５いずれか記載の小動物飼育器であって、
該小動物飼育器の出口までの前記小動物の通り道の少なくとも一箇所に、該小動物の足の付着物を落とすための凹凸面または粗面を設けた小動物飼育器。
【請求項７】
請求項１〜６いずれか記載の小動物飼育器であって、
前記仕切り板の上面には、滑り止めの凹凸パターンが形成されている小動物飼育器。
【請求項８】
請求項７記載の小動物飼育器であって、
前記パターンは、筋状のパターンである小動物飼育器。
【請求項９】
請求項１〜８いずれか記載の小動物飼育器であって、
前記仕切り板は、その少なくとも一辺と前記本体容器との間に隙間を設けた状態で、前記本体容器に取り付けられている小動物飼育器。
【請求項１０】
請求項１〜９いずれか記載の小動物飼育器であって、
前記仕切り板の上面は、全面において、球体を置いたときに本体容器との境界側への転動を生じさせる傾斜面または曲面で構成されている小動物飼育器。
【請求項１１】
請求項１〜１０いずれか記載の小動物飼育器であって、
さらに、前記仕切り板の上側に取り付けられた上段仕切り板を有し、
前記上段仕切り板と前記仕切り板との間の空間への上部出入り口と、前記仕切り板とその下部の空間への下部出入り口は、垂直方向に重ならないように形成されている小動物飼育器。
【請求項１２】
請求項１〜１１いずれか記載の小動物飼育器であって、
前記本体容器の少なくとも一面は透明となっている小動物飼育器。
【請求項１３】
請求項１〜１２いずれか記載の小動物飼育器であって、
前記仕切り板は、前記本体容器から脱着可能な仕切り板ユニットに取り付けられている小動物飼育器。
【請求項１４】
請求項１３記載の小動物飼育器であって、
前記仕切り板ユニットの天板は、前記本体容器の蓋を兼用する小動物飼育器。
【請求項１５】
請求項１〜１４いずれか記載の小動物飼育器であって、
前記小動物は、ハリネズミ、ハムスター、ウサギ、リス、フェレットのいずれかである小動物飼育器。
【考案の詳細な説明】
【技術分野】
【０００１】
本考案は、ハリネズミその他の小動物を飼育するための飼育器に関する。
【背景技術】
【０００２】
ハリネズミその他の小動物を飼育するためのアクリルケースまたはケージが用いられていた。例えば、特許文献１は、天板を開閉してペットの出し入れを行うペット用キャリーケースを開示している。ここに開示されているのは、飼育器そのものではないが、小動物の飼育にも、同様の形状の飼育器が用いられていた。
飼育対象となる小動物には、ハリネズミのように地下に巣を作るため穴掘りをする習性を有するものもいる。しかし、アクリルケースなどを使用した場合、例え十分な砂などが敷き詰められていたとしても、生息環境と異なるため、小動物は穴掘りを行わない傾向にあった。本来、穴掘りをする習性のある小動物が、習性通り穴掘りできないことは、ストレスを蓄積することにもなり、良好な生息環境にあるとは言えなかった。
かかる課題を解決するため、特許文献２は、植木鉢にケージを設置することで全体として飼育器として使用する技術を開示している。
【先行技術文献】
【特許文献】
【０００３】
【特許文献１】実開平５−８８２５２号公報
【特許文献２】特開２０１７−２０９０９４号公報
【考案の概要】
【考案が解決しようとする課題】
【０００４】
しかし、特許文献２の方法では、ケージの他に植木鉢が必要であり、全体として重くなるため、利便性が高いとは言えなかった。本考案は、かかる課題を解決するためになされたものであり、穴掘りの習性を有する小動物を、本来の生息環境に沿って飼育可能な利便性の高い飼育器を提供することを目的とする。
【課題を解決するための手段】
【０００５】
本考案は、
穴掘りの習性を有する小動物用の小動物飼育器であって、
前記小動物を飼育するための本体容器と、
前記本体容器内において、該本体容器の底面から上端までの半分よりも低い位置に取り付けられ、該本体容器の底面積の半分以上を覆う仕切り板とを備える小動物飼育器と構成することができる。
【０００６】
本考案の小動物飼育器は、本体容器の底に穴掘りに適した量の砂、おがくず、チップなどを敷き詰めて使用する。小動物飼育器には、上端から半分よりも低い位置に仕切り板が取り付けられている。かかる位置に仕切り板を取り付けることにより、小動物飼育器内に擬似的に上下方向に比較的狭い空間を形成することができる。かかる空間を形成することにより、飼育対象の小動物は、習性に従って穴掘りを行うことが確認された。従って、本考案の小動物飼育器によれば、従来の飼育器の利便性を損なわずに、小動物に穴掘りをさせることができ、本来の生息環境に沿ってストレスを軽減して飼育することができる。
【０００７】
本考案において、本体容器は、円柱状、直方体など種々の形状とすることができ、樹脂、木など種々の材料で形成することができる。
仕切り板も、種々の形状、材料で形成することができる。
仕切り板は、本体容器に固定してもよいし、本体容器の上からつるすようにしてもよい。また、本体容器には、２辺以上で固定してもよいし、１辺で固定し片持ち状態としてもよい。
【０００８】
本考案においては、
前記小動物を四足動物としたとき、
前記仕切り板は、四足が着地した状態の頭頂部までの背丈の３倍以下の高さに取り付けられているものとしてもよい。
【０００９】
かかる位置に仕切り板を設置することにより、穴掘りのための空間を形成することができる。背丈の３倍以下というのは、一つの目安であり、実際に設置する高さは、飼育対象となる小動物に応じて、適宜、設定すればよい。
【００１０】
本考案においては、
前記仕切り板の高さを調整可能としてもよい。
【００１１】
こうすることにより、小動物に応じて穴掘り用の空間を調整することができる。また、時宜に応じて、高さを調整することにより、小動物に、穴掘りに適した比較的狭い空間を与えたり、運動に適した広い空間を与えたりすることができる。
【００１２】
本考案においては、
前記仕切り板は脱着可能であるものとしてもよい。
【００１３】
こうすることにより、上述した仕切り板の高さを調整するのと同じ効果を、比較的容易に実現することができる。
【００１４】
本考案においては、
前記仕切り板は、対向する２辺で前記本体容器に支持されており、
該仕切り板のいずれかの部分に前記小動物が通過するための孔が形成されているものとしてもよい。
【００１５】
このように仕切り板を対向する２辺で支持することにより、仕切り板の上に小動物が乗った場合も、容易に壊れない強度を確保することができる。また、小動物は、孔を通じて仕切り板の上下の空間を行き来できるため、飼育器内の空間が飼育に有効に使われることになる。通行するための孔は、円形、楕円形、矩形など種々の形状をとることができる。
【００１６】
本考案においては、
該小動物飼育器の出口までの前記小動物の通り道の少なくとも一箇所に、該小動物の足の付着物を落とすための凹凸面または粗面を設けるものとしてもよい。
【００１７】
小動物飼育器内には砂、おがくず、チップなどが敷き詰められているため、小動物は砂等を足に付着させたまま、小動物飼育器から外に出てくることがあり、外部に砂等をまき散らすことが生じ得る。上記態様によれば、小動物の出口までの通り道に、凹凸面または粗面が設けられているため、ここを通過することで、小動物の足の付着物が落下し、外部に出てきても砂等をあまりまき散らすことがなくなる。
凹凸面または粗面は、種々の部位に設けることができる。例えば、仕切り板の上面など、小動物が歩く部分に設けても良い。また、内面の一部または全部を凹凸または粗面とした筒状の部材を用意し、水平または斜め方向にトンネルのように配置したり、ほぼ垂直方向に煙突のように配置してもよい。このような筒状の部材を用いる場合には、その開口部を出口としてもよい。
【００１８】
本考案においては、
前記仕切り板の上面には、滑り止めの凹凸パターンが形成されているものとしてもよい。
【００１９】
こうすることにより、小動物が、仕切り板の上面を移動しやすくなる利点がある。この凹凸パターンは、先に説明した付着物を落とすための構造と兼用してもよい。
【００２０】
上記態様において、
滑り止めの凹凸パターンは、多数の突起、ブラシのように細かく密な棒状部材または針状部材、格子状、ひだ状など種々の形状とすることができるが、
前記パターンは、筋状のパターンであるものとしてもよい。
【００２１】
こうすることにより、小動物飼育器内に敷き詰めた砂などが、仕切り板の上に溜まったときでも、比較的容易に清掃することができる。筋状のパターンの場合、その幅、長さ、間隔、本数、方向などは任意に設定できる。
これらの凹凸パターンは、仕切り板と別部材で形成したものを貼り付けるようにして形成してもよい。この際、樹脂、ゴムなど仕切り板とは別の材質を用いても良い。
【００２２】
本考案においては、
前記仕切り板は、その少なくとも一辺と前記本体容器との間に隙間を設けた状態で、前記本体容器に取り付けられているものとしてもよい。
【００２３】
こうすることにより、仕切り板の上に溜まった砂などを、仕切り板と本体容器の間の隙間から容易に下に落とすことができ、仕切り板の上を清掃することができる。
隙間の幅は、任意に設定することができる。また、隙間は、仕切り板の一辺にのみ設けても良いし、２辺または３辺に設けるようにしてもよい。さらに、仕切り板の辺の全体に隙間を設けてもよいし、一部にのみ隙間を設けるようにしてもよい。
【００２４】
本考案においては、
前記仕切り板の上面は、全面において、球体を置いたときに本体容器との境界側への転動を生じさせる傾斜面または曲面で構成されているものとしてもよい。
【００２５】
こうすることにより、仕切り板の上の砂等が自然と周囲に移動することになり、仕切り板の上面に砂が散在するのを抑制することができる。
上面は、種々の形状を取り得る。例えば、上面を平面とし、一方向に傾斜させてもよい。上面を上に凸の曲面としてもよい。また、上面の中心線を稜線として、両側に傾斜する平面または曲面としてもよい。この他、種々の形状とすることができる。各地点の傾斜も任意に設定可能である。
【００２６】
本考案においては、
さらに、前記仕切り板の上側に取り付けられた上段仕切り板を有し、
前記上段仕切り板と前記仕切り板との間の空間への上部出入り口と、前記仕切り板とその下部の空間への下部出入り口は、垂直方向に重ならないように形成されているものとしてもよい。
【００２７】
こうすることで、小動物飼育器を、２枚の仕切り板によって上下方向に３つの空間に分けることができ、小動物を、これらの空間で遊ばせることが可能となる。上記態様では、上部出入り口と、下部出入り口が、垂直方向に重なっていないため、小動物が誤って、最上部の空間から最下部まで転落することを回避することができる。また、このように上部出入り口と下部出入り口をずらしておけば、小動物は、必ず仕切り板上を歩くこととなるため、足に付着した砂等を落下させることができるという効果もある。
【００２８】
本考案においては、
前記本体容器の少なくとも一面は透明となっているものとしてもよい。
【００２９】
こうすることにより、小動物の様子を比較的容易に観察することが可能となる。
透明部分は、種々の方法で形成することができる。例えば、本体容器に、ガラスやアクリルなどの透明素材の板をはめ込むようにすることもできる。また、本体容器の全体を、透明の樹脂などで形成してもよい。
【００３０】
本考案においては、
前記仕切り板は、前記本体容器から脱着可能な仕切り板ユニットに取り付けられているものとしてもよい。
【００３１】
こうすることにより、仕切りユニットを本体容器から取り外して、仕切り板の位置の調整や脱着を容易に行うことが可能となる。仕切りユニットとしては、仕切り板を取り付け可能であれば種々の構造をとることができる。例えば、枠状の構造体としてもよいし、仕切り板を片持ちで支持する板としてもよい、二以上の板を組み合わせた構造体としてもよい。
【００３２】
本考案においては、
前記仕切り板ユニットの天板は、前記本体容器の蓋を兼用するものとしてもよい。
【００３３】
こうすることにより、全体の構造を簡略化することができる。
また、こうすれば、仕切り板ユニットを取り外すことで、容器の蓋も仕切り板もまとめて取り外すことができるため、小動物飼育器の底にいる小動物を比較的容易に取り出すことが可能となる利点もある。
【００３４】
本考案は、種々の小動物を飼育対象とすることができるが、例えば、
前記小動物は、ハリネズミ、ハムスター、ウサギ、リス、フェレットのいずれかであるものとすると、特に有用性が高い。
【００３５】
以上で説明した種々の特徴については、必ずしも全てを備えている必要はなく、適宜、その一部を省略したり組み合わせたりしてもよい。
【図面の簡単な説明】
【００３６】
【図１】実施例としての小動物飼育器の全体構成を示す説明図である。
【図２】小動物飼育器の構造を示す説明図である。
【図３】仕切り板ユニットの構造を示す説明図である。
【図４】小動物飼育器の使用方法を示す説明図である。
【考案を実施するための形態】
【００３７】
以下、本考案の実施例について、ハリネズミを飼育するための小動物飼育器を例にとって説明する。
【００３８】
図１は、実施例としての小動物飼育器の全体構成を示す説明図である。
図１（ａ）は、小動物飼育器１の斜視図である。小動物飼育器は、木製の箱状の本体容器１０に、仕切り板ユニット５０をはめ込んだ構成となっている。
図１（ｂ）は、小動物飼育器１の正面図である。本体容器１０は、図示する通り、正面に透明のガラスまたはアクリルがはめ込んである。このように一面が透明となっているため、飼育対象であるハリネズミの様子をよく観察することができる。もっとも、正面の全体を透明素材にする必要はなく、一部に透明の窓を設けるようにしてもよい。
図１（ｃ）は、小動物飼育器１の背面図である。本実施例では、本体容器の背面は、木製の板で覆う構造とした。背面についても、一部または全部に透明のガラスまたはアクリルをはめ込んだ構造としてもよい。
また、側面の一部または全部を透明にしてもよい。
図１の実施例では、小動物飼育器１を木製としたが、これを樹脂製としてもよい。こうすれば、本体容器１０の全体を透明にすることができ、ハリネズミの活動の様子を観察しやすくなる。
【００３９】
図２は、小動物飼育器の構造を示す説明図である。
図２（ａ）の左側に容器本体の構造を示した。容器本体は、側壁１１、１４、背面板１５、前面ガラス１２、底板１３から構成されている。前面ガラス１２以外は、本実施例では、木製とした。これらは、一定の剛性を保持することができるものであれば、樹脂、紙、金属など種々の材料を用いることができる。前面ガラス１２、背面板１５は、それぞれ側壁１１、１４に形成された溝に差し込む形で取り付けられている。こうすることにより、必要に応じて、これらを取り外して分解し、本体容器を清掃等することができる利点がある。前面ガラス１２、背面板１５は、接着その他の方法で、側壁１１、１４に固定してもよい。
本実施例では、前面ガラス１２、背面板１５は、図中の領域ａに示すように、取り付けた状態で、側壁１１、１４よりも若干、上に突出するサイズとしてある。後述する仕切り板ユニット５０を、本体容器にはめ込んだ時に、その天板５１の裏側に形成された溝に、前面ガラス１２、背面板１５の突出部分がはまり込むことにより、仕切り板ユニット５０と本体容器とをずれないよう固定することができる。
【００４０】
図２（ａ）の右側に仕切り板ユニット５０の構造を示した。仕切り板ユニット５０の基本構造は、天板５１の下側に、側壁５２、５３、上段仕切り板５４を固定したものである。側壁５２、５３には、仕切り板５５が着脱可能に取り付けてある。その取り付け方法は、後述する。実施例では、仕切り板ユニット５０は、全体を木製としているが、それぞれ樹脂、紙、金属など種々の材料で構成可能である。また、上段仕切り板５４は、側壁５２、５３に固定してあるが、これも仕切り板５５と同様、着脱可能としてもよい。
【００４１】
図２（ｂ）に、両者を組み付ける途中の状態を示した。図示する通り、本体容器１０の上側の開口部に、仕切り板ユニット５０を情報から挿入することによって、両者を組み付けることができる。実施例では、仕切り板ユニット５０の側壁５２、５３の両外側が、本体容器１０の側壁１１、１４の内側とほぼ接するようなサイズに設定してある。こうすることで、仕切り板ユニット５０が、本体容器１０に対して、左右方向（長手方向）にずれることを抑制できる。また、先に述べた通り、仕切りユニット５０を組み付けると、天板５１の裏側に形成された溝に、本体ユニット１０の前面ガラス１２、背面板１５がはまり込むようになっているため、仕切り板ユニット５０が前後方向（短手方向）にずれることも抑制される。仕切り板ユニット５０の側壁５２、５３の幅を、前面ガラス１２、背面板１５の内側の間隔にほぼ合わせることによって、前後方向のずれを抑制するようにしてもよい。
【００４２】
前面ガラス１２と上段仕切り板５４、仕切り板５５との間には、図中の領域ｂに示すように、隙間が設けられている。背面板１５との間も同様である。このように隙間を設けることにより、ハリネズミが、小動物飼育器内の砂を付着させたまま上段仕切り板５４、仕切り板５５を歩くなどして、これらの上に砂をまき散らしたときでも、その砂が、この隙間から小動物飼育器の最下部に転落するため、上段仕切り板５４、仕切り板５５に砂が過剰にたまることを抑制できる利点がある。
【００４３】
図３は、仕切り板ユニットの構造を示す説明図である。
図３（ａ）には、仕切り板ユニット５０の全体の構造を示した。図２で説明しなかった部分についてのみ説明を加える。天板５１、上段仕切り板５４、および仕切り板５５には、それぞれハリネズミが通るための孔５１ｈ、５４ｈ、５５ｈが形成されている。これらの孔５１ｈ、５４ｈ、５５ｈの径は、ハリネズミの体のサイズを考慮して決めればよい。他の小動物を飼育対象とする場合も同様である。
また、飼育する小動物が逃げるのを防ぐため、天板５１の孔５１ｈはなくしてもよいし、孔５１ｈに取り付ける蓋を用意してもよい。
孔５１ｈ、５４ｈ、５５ｈは、それぞれ左右にずらして形成されている。孔５１ｈ、５４ｈ、５５ｈを垂直方向に重ならないように形成することにより、小動物が誤って小動物飼育器の最下部まで転落することを防止することができる。実施例では、孔５１ｈ、５４ｈ、５５ｈをできるだけ左右に大きくずらした状態で形成しているが、垂直に重ならない位置であれば、中央など任意の位置に形成して差し支えない。もっとも、実施例のように、左右に大きくずらして形成すれば、上部仕切り板５４、仕切り板５５の上面を小動物が十分に遊びに利用することができる利点がある。
【００４４】
図３（ｂ）は、仕切り板５５を取り外した状態を示した。図示するように、側壁５２、５３の内側には、溝５２ｓ、５３ｓが形成されている。一方、仕切り板５５の両サイドには、この溝に対応するほぞ５５ａ、５５ｂが形成されている。ほぞ５５ａ、５５ｂを溝５２ｓ、５３ｓにスライドさせることによって、仕切り板５５を仕切り板ユニット５０に取り付けることが可能である。図中の領域ｃに示すように、溝５２ｓ、５３ｓは、側壁５２、５３の全体にわたって形成するのではなく、図３（ｃ）の領域ｄに示すように、奥の一部を残して形成するようにしてある。ほぞ５５ａ、５５ｂも、溝５２ｓ、５３ｓに対応して、仕切り板５５の全幅よりも短くしてある。こうすることにより、溝５２ｓ、５３ｓの奥の部分がストッパとして機能し、仕切り板５５の前後方向の位置を容易に決めることが可能となる。
【００４５】
本実施例において、上部仕切り板５４、および仕切り板５５には、それぞれ孔５４ｈ、５５ｈを形成しているが、ハリネズミの出入りという意味では、上部仕切り板５４、および仕切り板５５を側壁５２、５３にそれぞれ方持ち状態で取り付けるようにし、他方の側壁との間の間隙を出入り口として使用する構造とすることも可能である。ただし、実施例のように孔５４ｈ、５５ｈを用いるようにすれば、上部仕切り板５４、および仕切り板５５を側壁５２、５３で両側から支持することができるため、方持ちよりも丈夫な構造となる利点がある。
実施例では、上部仕切り板５４は側壁５２、５３に固定されているが、仕切り板５５と同様、着脱可能としてもよい。
【００４６】
図３（ｃ）は、仕切り板５５の構造を示した。仕切り板の上面は、中央線（図中の一点鎖線）を稜線５５ｃとして、左右方向に低くなるよう傾斜している。このように傾斜を設けることにより、仕切り板５５の上面の砂が下に落ちるようになっている。傾斜の程度は、砂を落下させるとともに小動物の歩行に支障がない範囲で任意に決めればよい。実施例では、仕切り板５５の長手方向の断面が三角形となるよう稜線５５ｃを挟んで平面状の傾斜面を両側に設けたが、右側または左側への単調な傾斜面としてもよいし、平面状の傾斜面に代えて曲面状としてもよい。また、仕切り板５５の上面全体を上に凸の曲面としてもよい。
仕切り板５５の上面には、滑り止めの溝５５ｓが形成されている。こうすることにより小動物が歩行しやすくなる利点がある。溝５５ｓの幅、間隔、本数は任意に決めることができる。また、仕切り板５５の上面全体に形成する必要はなく、一部にのみ溝５５ｓを形成するようにしてもよい。滑り止めは、溝５５ｓに代えて、多数の突起、格子状の凹凸など種々のパターンを採用可能である。
【００４７】
上部仕切り板５４も、仕切り板５５と同様の構造とすることができる。
【００４８】
図４は、小動物飼育器の使用方法を示す説明図である。
図４（ａ）に、仕切り板５５を取り付けた状態を示した。小動物飼育器内には、底に砂を敷き詰めてハリネズミなどの小動物を飼育する。図示するように、仕切り板５５は本体容器の底面から上部までの高さの半分よりも下に位置する。飼育対象であるハリネズミが四足で歩行する際の頭部までの背丈の３倍以下の高さとなっている。かかる位置に仕切り板５５を設置することにより、その下には、比較的狭い空間ｓ１が形成される。
ハリネズミは、元来、穴掘りの習性を有しているが、穴掘りは、どこでも行うものではなく、上下方向に比較的狭い空間内で行うことが知られている。実施例の小動物飼育器によれば、上述の通り狭い空間ｓ１を形成することができるため、ハリネズミは、習性通りに穴掘りを行うことができる。従って、ハリネズミを本来の生息環境に即したストレスの低い状態で飼育することが可能となる。
【００４９】
図４（ｂ）には、仕切り板５５を取り外した状態を示した。こうすることにより、小動物飼育器内には、上部仕切り板５４のみが存在する状態となり、その下には、比較的広い空間ｓ２が形成される。ハリネズミは、このように広い空間ｓ２が用意されているときは、穴掘りではなく、砂を浴びるようにして遊ぶことが知られている。これもハリネズミの習性の一つである。従って、本実施例の小動物飼育器によれば、仕切り板５５を取り外すことにより、ハリネズミに、その習性に従って、砂浴びさせることができる。このように、仕切り板５５を着脱可能とすることにより、一つの小動物飼育器で、穴掘りと砂浴びの双方をさせることができ利便性を高めることができる。
【００５０】
以上の実施例で示した種々の特徴は、必ずしも全てを備えている必要はなく、適宜、その一部を省略したり組み合わせたりしてもよい。また、本考案は、実施例に限らず、種々の変形例を構成可能である。
（１）実施例では、ハリネズミを飼育対象とする例を示したが、飼育対象は、ハムスター、ウサギ、リス、フェレットなどとしてもよい。また、この他にも穴掘りの習性のある種々の小動物に適用可能である。小動物飼育器の大きさは、飼育対象となる小動物のサイズに合わせて適宜、決めればよい。
（２）実施例では、木で構成したが、樹脂製としてもよい。
（３）実施例では、仕切り板５５を着脱可能としたが、仕切り板５５を固定した状態の仕切り板ユニットと、仕切り板５５が取り外された状態の仕切り板ユニットとを用意し、これらを取り替えることによって、仕切り板５５の着脱と同様の効果を実現するものとしてもよい。
（４）実施例では、小動物の出入り口や仕切り板の孔を全て上下方向に設けた場合を例示したが、これらの一部または全部は水平方向に向けてもよい。また、出入り口、孔の数も自由に設けることができる。
本考案は、この他にも、種々の変形例を構成可能である。
【産業上の利用可能性】
【００５１】
本考案は、小動物の飼育に利用することができる。
【符号の説明】
【００５２】
１  小動物飼育器
１０  本体容器
１１、１４  側壁
１２  前面ガラス
１３  底板
１５  背面板
５０  仕切り板ユニット
５１ｈ、５４ｈ、５５ｈ  孔
５２、５３  側壁
５２ｓ、５３ｓ  溝
５４  上部仕切り板
５５  仕切り板
５５ａ、５５ｂ  ほぞ
【図１】
0003228113.tif 000003
【図２】
0003228113.tif 000004
【図３】
0003228113.tif 000005
【図４】
0003228113.tif 000006